【手続補正書】
【提出日】平成15年7月24日(2003.7.24)
【手続補正１】
【補正対象書類名】明細書
【補正対象項目名】特許請求の範囲
【補正方法】変更
【補正の内容】
【特許請求の範囲】
【請求項１】
基本的には作動液の顕熱による熱輸送（作動液の振動及び又は循環による熱輸送）を主たる熱輸送原理とする蛇行細管トンネルヒートパイプからなるプレートヒートパイプを第一の構成要素とし、基本的には作動液の潜熱による熱輸送（作動液の蒸気移動時の蒸発及び凝縮による熱輸送）を主たる熱輸送原理とする非蛇行の細管トンネルヒートパイプからなるヒートパイプを第二の構成要素とする、両構成要素が複合一体化されてなることを基本構成とする複合型プレートヒートパイプであって、第一の構成要素のプレートヒートパイプは、二枚の金属プレートが積層接合されたプレートの片側または両側のプレートには所定のパターン及び所定の断面形状のエンボス加工に依る蛇行細管トンネル空間が形成されてあり、この所定のパターンは成形目標とする蛇行細管トンネルヒートパイプの蛇行形状に一致するパターンであり、所定の断面形状はその両端角部に楔状突起空間を有する半円形状または楕円形状であり、この蛇行細管トンネル空間には所定の二相凝縮性作動液が封入されて、作動液の振動及び又は循環により熱量を輸送する、蛇行細管トンネルヒートパイプとして構成されてあるプレートヒートパイプであることを特徴とし、第二の構成要素のプレートヒートパイプは、二枚の上述の第一構成要素の積層接着の積層間隙に形成される作動液の蒸気移動時の蒸発及び凝縮により熱量を輸送するプレートヒートパイプであって、この第二構成要素の構成は、二枚の上述第一構成要素の蛇行細管トンネルパターンエンボス面が相互に対向せしめられ、かつ双方の蛇行細管トンネルパターンエンボスの直管部群が相互に交叉して網目状になるよう突合わせ配置されて、双方のエンボス直管部群が交叉接触する交点群において両第一構成要素は相互にろう接接合せしめられてあり、更に両第一構成要素を形成する積層プレートの蛇行細管トンネルパターンエンボスのパターン形成部分の外周に若干の間隙を残す両外周端縁は、絞り加工またはスペーサ介在等の手段が施されて相互に接触し積層され且つ相互に気密に溶接かろう接されて一体化されてあり、このようにして接合一体化された二枚の上述第一構成要素の接合部には、蛇行細管トンネルパターンエンボスの突出間隙に形成される細溝群が相互に交差結合することにより、相互に連通する交叉細管トンネル群の網目状空間を主体とする空間が形成されてあり、この空間には所定の二相凝縮性作動液が封入されて、プレートヒートパイプとして構成されてある構成であることを特徴とし、上述の如き第一及び第二の構成要素プレートヒートパイプが上述の如く一体化され、全体として相互に補完しあって作動する薄形プレートヒートパイプとして構成されてあることを特徴とする複合型プレートヒートパイプ。
【請求項２】
第一の構成要素のプレートヒートパイプは、片側のプレートが他の側のプレートに比較して、より展延性に富む金属材料からなるか、またはより薄肉に形成されてあるかする、２枚の展延性に富む金属の薄肉プレートが相互に接合されて積層プレートが形成され、その積層プレートの接合は接合面にターン部と並列部からなる蛇行パターンの長尺細幅の非接合部が残置される接合であり、この非接合部は所定の手段により拡管成形され、これにより積層接合面にはターン部と並列部からなる蛇行細管トンネル空間が形成されてあり、このトンネル空間はおのずからその両端角部に楔状突起空間を有する楕円または半円の断面形状に形成されてあり、この積層プレートの外表面の片面または両面の何れかの面には、蛇行細管トンネル空間の断面形状及び蛇行パターンに対応して、おのずから発生する蛇行細管トンネルパターンエンボスが形成されてあり、この蛇行細管トンネル空間には所定の二相凝縮性作動液が封入されて、蛇行細管トンネルヒートパイプとして構成されてあるプレートヒートパイプであることを特徴とする請求項１に記載の複合型プレートヒートパイプ。
【請求項３】
第一の構成要素のプレートヒートパイプは、展延性に富む金属からなる積層プレートの片側または両側の薄肉プレートには、予めプレス成形に依り、所定のパターン及び所定の断面形状のエンボス加工がなされてあり、その凹面側が他の側のプレートと接合されるかまたは相互接合されて、蛇行細管トンネル空間が形成されてあり、この所定のパターンは成形目標とする蛇行細管トンネルヒートパイプの蛇行形状に一致するパターンであり、所定の断面形状はその両端角部に楔状突起空間を有する半円形状または楕円形状であり、この蛇行細管トンネル空間に所定の二相凝縮性作動液が封入されて、蛇行細管トンネルヒートパイプとして構成されてあるプレートヒートパイプであることを特徴とする請求項１に記載の複合型プレートヒートパイプ。
【請求項４】
第一の構成要素のプレートヒートパイプの蛇行細管トンネル空間にはその全内容積の少なくとも２０％以上の容積に相当する量の二相凝縮性作動液が封入されてあり、第二の構成要素プレートヒートパイプの網目状交叉細管トンネル群の空間にはその全内容積の多くても２０％以下の容積に相当する量の二相凝縮性作動液が封入されてあることを特徴とする請求項１に記載の複合型プレートヒートパイプ。
【請求項５】
第一の構成要素のプレートヒートパイプの蛇行細管トンネル空間にはその全内容積の多くとも２０％以下の容積に相当する量の二相凝縮性作動液が封入されてあり、第二の構成要素プレートヒートパイプの網目状交叉細管トンネル群が連結された空間にもその全内容積の多くとも２０％以下の容積に相当する量の二相凝縮性作動液が封入されてあることを特徴とする請求項１に記載の複合型プレートヒートパイプ。
【請求項６】
第一及び第二の構成要素のプレートヒートパイプのトンネル空間の夫々には相互に最適作動温度領域が異なり、且つ成分または種類の異なる二相凝縮性作動液が封入されてあることを特徴とする請求項１に記載の複合型プレートヒートパイプ。
【請求項７】
夫々の第一の構成要素のプレートヒートパイプを形成する為の二枚の金属プレートからなる積層プレートに於ける、蛇行細管トンネルパターンエンボスとして形成される側のプレートはそれ自身も二種類の所定の金属素材ａ、ｂからなる薄形金属プレートａ１、ｂ１の積層プレートであり、この積層プレートａ１、ｂ１と、その片側の薄形金属プレートａ１と同一金属素材ａからなる他の金属プレートａ２、とが接合積層された積層プレートにより第一の構成要素が形成されてあり、第二の構成要素のプレートヒートパイプの網目状トンネル空間の内壁面は全て金属素材ｂからなる積層プレートの片側の薄形金属プレートｂ１で形成されてあり、第一の構成要素部と第二の構成要素部との夫々に形成されてあるトンネル空間ａ０、ｂ０には夫々の金属素材ａ、ｂと夫々に適合性の良好な夫々の所定の作動液が封入封止されてあり、上記金属素材ａ、ｂはトンネル空間ａ０、ｂ０の夫々に封入封止される対象とする所定の作動液に対して適合性の良好な金属素材の中から選択的に決定された金属素材であるか、或は所定の作動液は対象とする金属素材ａ、ｂ  に対して適合性の良好な種類の作動液の中から選択的に決定された作動液であるかの何れかであることを特徴とする請求項１に記載の複合型プレートヒートパイプ。
【請求項８】
夫々の第一の構成要素のプレートヒートパイプを形成する為の二枚の金属プレートからなる夫々の積層プレートに於ける、蛇行細管トンネルパターンエンボスとして形成される側のプレートはそれ自身も二種類の所定の金属素材ａ、ｂからなる薄形金属プレートａ１、ｂ１の積層プレートであり、この積層プレートａ１−ｂ１におけるｂ１は金属素材ｂの薄膜層（厚メッキ層を含む）であり、積層プレートａ１−ｂ１により形成される蛇行細管トンネルパターンエンボスのエンボス外表面は上述の金属素材ｂの薄膜層（厚メッキ層を含む）で形成されてあり、夫々の第一の構成要素のプレートヒートパイプを形成する為の二枚の金属プレートからなる夫々の積層プレートに於ける、プレートのまま残置される側のプレートは金属素材ａで形成されてある金属プレートａ１であり、従って蛇行細管トンネルパターンエンボスのエンボス内壁面はすべて金属素材ａで形成されてあり、このようにして形成された第一の構成要素の二枚を組み合わせて構成されてあることを特徴とする請求項５に記載の複合型プレートヒートパイプ。
【請求項９】
作動液の顕熱による熱輸送（作動液の振動及び又は循環による熱輸送）と潜熱による熱輸送（作動液の蒸気移動時の蒸発及び凝縮による熱輸送を主たる熱輸送原理とする細管トンネルヒートパイプからなるプレートヒートパイプを第一及び第二の構成要素が複合一体化されてなることを基本構成とする複合型プレートヒートパイプであって、第一及び第二の構成要素のプレートヒートパイプは、二枚の金属プレートが積層接合されたプレートの片側または両側のプレートには所定のパターン及び所定の断面形状のエンボス加工に依る細管トンネル空間が形成されてあり、この所定のパターンは成形目標とする細管トンネルヒートパイプの形状に一致するパターンであり、所定の断面形状はその両端角部に楔状突起空間を有する半円形状または楕円形状であり、この細管トンネル空間には所定の二相凝縮性作動液が封入されて、作動液の振動及び／又は循環により熱量を輸送する、細管トンネルヒートパイプとして構成されてあるプレートヒートパイプであることを特徴とし、この第一及び第二構成要素は、上述の第一及び第二構成要素の細管トンネルパターンエンボス面が相互に対向せしめられ、かつ双方の細管トンネルパターンエンボスの直管部群が相互に交叉して網目状になるよう突合わせ配置されて、双方のエンボス直管部群が交叉接触する交点群において第一及び第二構成要素は相互にろう接接合せしめられてあり、更に第一及び第二構成要素を形成する積層プレートの細管トレネルパターンエンボスのパターン形成部分の外周端縁は、所定の手段が施されて相互に接触し積層され且つ相互に気密に一体化されてあり、このようにして接合一体化された上述第一及び第二構成要素の接合部には、細管トンネルパターンエンボスの突出間隙に形成される細溝群が相互に交差結合することにより、相互に連通する交叉細管トンネル群の網目状空間を主体とする空間が形成されてあり、この空間には所定の二相凝縮性作動液が封入されて、プレートヒートパイプとして構成されてあることを特徴とし、上述の如き第一及び第二の構成要素プレートヒートパイプが一体化され、全体として相互に補完しあって作動する薄形プレートヒートパイプとして構成されてあることを特徴とする複合型プレートヒートパイプ。
【請求項１０】
前記第一又は第二構成要素を三つ以上組合わせたことを特徴とする請求項９に記載の複合型プレートヒートパイプ。